(57)【要約】    【課題】  日除け部材のガイド付きロールスクリーンを提供する。  【解決手段】  壁面の窓枠１に固着する固着部材２と日除け部材４を捲回した巻取り軸５の両端を支持する両側枠３ｂ，３ｂと有するブラケット３からなるロールスクリーンにおいて、前記ブラケット３の両端の側枠３ｂ、３ｂの内側に位置してブラケット３内面に上端が固着されて垂下し、下流側を前記日除け部材４の底部材６の両端に穿った貫通孔６ａに挿通し、末端が床面１１に着脱自在に固定される線状ガイド７，７を有するガイド付きロールスクリーンの構成である。  【選択図】  図１
2009243085.tif 000002
【特許請求の範囲】
【請求項１】
壁面の窓枠に固着される固着部材と、日除け部材を捲回した巻取り軸の両端を支持する両側枠とを備えたブラケットからなるロールスクリーンにおいて、
前記ブラケットの両端の側枠の内側に位置してブラケット内面に上端が固着されて垂下し、それぞれの下流側を前記日除け部材の底部材の両端に穿った貫通孔に挿通し、末端が床面に着脱自在に固定される線状ガイドを有する
ことを特徴とするガイド付きロールスクリーン。
【請求項２】
前記線状ガイドの上端が伸縮自在の弾性部材を介して前記ブラケットの内面に固着した
ことを特徴とする請求項１に記載のガイド付きロールスクリーン。
【請求項３】
前記ブラケットの線状ガイドの通路にガイドローラを配設した
ことを特徴とする請求項１または請求項２に記載のガイド付きロールスクリーン。
【請求項４】
前記線状ガイドの末端に固定部材を取り付け、該線状ガイドが床面に着脱自在に固定する
ことを特徴とする請求項１〜請求項３のいずれか１つに記載のガイド付きロールスクリーン。
【発明の詳細な説明】
【技術分野】
【０００１】
本発明は、窓枠に設置する日除け部材を巻上げる際に生じる巻き乱れやよじれを防止することを目的としたガイド付きロールスクリーンにかかり、特に、幅狭で細長い窓に好適なガイド付きロールスクリーンに関する。
【背景技術】
【０００２】
昨今は窓枠の内側に日除け用の遮蔽部材を上下方向に昇降させるロールスクリーンが好まれ、多く使用されている。この種のロールスクリーンは、遮蔽部材が昇降する際に手動または自動で円滑に昇降動作するように、遮蔽部材の案内構造について従来から多くの発明が提案されている。
【０００３】
例えば、巻取られる遮蔽部材の両端をガイドするガイドレールを両側に配置し、遮蔽部材がガイドレール溝に沿って昇降し、遮蔽部材が蛇行やよじれることなく、巻取り軸に巻き取られるようにしたロールスクリーンが知られている（例えば、特許文献１）。
また、巻取り軸の両端を回動自在に支持する側板を備えたブラケットを天井板に固定し、遮蔽部材の昇降面に沿って平行に張設されたガイド線を設け、そのガイド線の末端をウエイトバーに固着して遮蔽部材のよじれを防止しするようにしたロールスクリーンがある（例えば、特許文献２）。
【０００４】
【特許文献１】特開２０００−１６０９６６号公報
【特許文献２】特開平６−１２９１７８号公報
【発明の開示】
【発明が解決しようとする課題】
【０００５】
特許文献１のロールスクリーンでは、ガイドレールの施工が煩雑となって面倒であり、しかもコスト高にもなっていた。また特許文献２のように、ガイド線をウエイトバーに直接固定するものでは、細長い日除け部材のよじれを充分に防止することができず、竹の子状に巻きとられることもあってその機能を充分に発揮できない。さらに、日除け部材の昇降面に沿って設けてあるから、日除け部材の巻上げ操作に邪魔になることがある。
【０００６】
本発明はこれらの問題点を解決したもので、複雑な取り付け施工を必要とせず、簡易な構造で日除け部材の巻き乱れやよじれを有効に防止でき、円滑な巻取りを行うことのできるガイド付きロールスクリーンを安価に提供することを目的としている。
【課題を解決するための手段】
【０００７】
本発明は、壁面の窓枠に固着する固着板と日除け部材を捲回した巻取り軸の両端を支持する両側枠とからなるブラケットからなるロールスクリーンにおいて、前記ブラケットの両端の側枠の内側に位置してブラケット内面に上端が固着されて垂下し、下流側を前記日除け部材の底部材の両端に穿った貫通孔に挿通し、末端が床面に着脱自在に固定される線状ガイドを有することを特徴としている。
【０００８】
前記線状ガイドの上端を伸縮自在の弾性部材を介して前記ブラケットの内面に固着してもよい。さらに、前記ブラケットの線状ガイドの通路にガイドローラを配置することが好ましい。
また、前記線状ガイドの末端に固定部材を取り付け、該線状ガイドが床面に着脱自在に固定することもできる。
【０００９】
本発明は、窓枠に設置するブラケットの内側に固定して巻取り軸の両端側面に接して垂下する線状ガイドを固定してあるので、日除け部材の昇降を確実且つ安全にガイドすることができる。特に、ロールスクリーンが小幅の窓で丈の長い日除け部材の場合に、日除け部材の巻き乱れやよじれを有効に防止しつつ、安価なロールスクリーンを提供することができる。
日除け部材の幅と丈の割合は、日除け部材の材質にもよるが、一般的に１対１０〜１５のサイズに好適である。
【００１０】
本発明のガイド付きロールスクリーンは、伸縮する弾性部材を介し線状ガイドがブラケットに固定してあるから、線状ガイドを床面に簡易に取り付けるに際して長さの調節でき、線状ガイドが緊張を維持することができるので、日除け部材のよじれを完全に防止できる。
【発明の効果】
【００１１】
本発明のガイド付きロールスクリーンは、巻取り軸のブラケットに固定した線状ガイドが日除け部材の底部材を貫通して、その末端が床面に固着されるので、日除け部材を巻き上げた際に日除け部材がよじれたり竹の子状に巻き上げられることはなく、確実な作動を発揮することができる。特に、横幅に対して長さが１０倍以上と幅と長さとの比が大きい日除け部材において、巻き乱れ防止効果は他の構造の物に比べて絶大である。
さらに本発明は、線状ガイドを上部のブラケットから下部の床面に固定するだけの簡単な構造であるので、製作や取り付けが簡便であるばかりでなく、低コストで製作することができる。
【発明を実施するための最良の形態】
【００１２】
以下、本発明に係るガイド付きロールスクリーンの一実施例を図面に基づいて説明する。
図１はガイド付きロールスクリーンの取り付け状態を示す一部断面正面図、図２の（ａ）はブラケットを用いて巻上げ軸を正面付けした場合の説明図、（ｂ）はブラケットを用いて巻上げ軸を天井付けした場合の説明図、図３は日除け部材の下端に固定した底部材と線状ガイドとの関係を示す説明図、図４は線状ガイド末端の固定手段を示す説明図である。
【００１３】
窓枠１の設置面に、固着部材２，２を介してブラケット３が取り付けられる。このブラケット３は、固着部材２，２に支持される固着面３ａと、日除け部材４の巻取り軸５の両端を回動自在に支持する側枠３ｂ、３ｂとから構成され、巻取り軸５に上端が固着された幅狭なシート状の日除け部材４の下端には、底部材６が固着されている。ブラケット３の内面一側部両側にはピン９，９が突設され、該ピン９，９に線状ガイド７，７の上端に連続するスプリング８，８が伸縮自在に取り付けられている。
各線状ガイド７は、金属ワイヤや合成樹脂紐などの日除け部材４に接触しても表面を傷めない材料が使用され、ブラケット３の内面他側部に設けたガイドローラ１０を通して床面１１に達する長さで形成されている。
【００１４】
ブラケット３から垂下した各線状ガイド７の末端は、底部材６の両端上下に穿った貫通孔６ａ，６ａを貫通し、床面１１に固定部材として面ファスナ１２を用いて着脱自在に固定されるようになっている。なお、１６は底部材６に設けた操作紐である。
【００１５】
このように構成される本実施例の日除け部材４は、左右両側を上下に貫通する線状ガイド７，７によって昇降をガイドされるため、巻き上げ時に発生しやすい竹の子状の巻き乱れやよじれといった不具合を有効に防止することができる。
また、線状ガイド７，７には日除け部材４の昇降荷重が作用するが、線状ガイド７，７にはスプリング８の牽引力によって適度なテンションが作用しているためにこれを許容し、加えてブラケット３に設けたガイドローラ１０，１０が微細な調整移動を行うので、日除け部材４の確実な昇降動作を長期間安定して行うことができる。
【００１６】
さらに、スプリング８，８とガイドローラ１０，１０とをブラケット３の内部両側に配置した本実施例のブラケット３は、図２の（ａ），（ｂ）に示すように、その向きを変えるだけで窓枠１の側部と上部のいずれにもそのまま取り付けることができる。
【００１７】
図４は、線状ガイド７の下端を床面１１に固定する固定部材の具体例を示している。このうち図４（ａ）は、前述の通り固定部材として面ファスナ１２を用いており、線状ガイド７を着脱できる構造としては最も簡易である。固定部材は、図４（ｂ）に示すように、床面１１に固着した板材１４で双方の線状ガイド７，７を一体に固定する構造としてもよく、あるいは図４（ｃ）に示すように、各線状ガイド７の末端にフック１５を固定して床面１１のリング１６に係合する構造とすることもできる。
【図面の簡単な説明】
【００１８】
【図１】本発明の一実施例を示すガイド付きロールスクリーンの取り付け状態の一部断面正面図である。
【図２】（ａ）はブラケットを用いて巻取り軸を天井付けした状態の説明図、（ｂ）はブラケットを用いて巻取り軸を正面付けした状態の説明図説明図である。
【図３】日除け部材の下端に固定した底部材と線状ガイドとの関係を示す説明図である。
【図４】線状ガイドの末端の固定手段の実施例の説明図である。
【符号の説明】
【００１９】
１…窓枠
２…固着部材 
３…ブラケット
３ａ…固着面
３ｂ…側枠
４…日除け部材
５…巻取り軸
６…底部材
６ａ…貫通孔
７…線状ガイド
８…スプリング
９…ピン
１０…係合部
１１…床面
１２…面ファスナ
【図１】
2009243085.tif 000003
【図２】
2009243085.tif 000004
【図３】
2009243085.tif 000005
【図４】
2009243085.tif 000006